(57)【要約】【課題】輝度ムラを抑えつつ装置を小型化するバックライト装置及び表示装置を提供する。【解決手段】ＬＥＤ５は表示駆動用ＩＣ２側の液晶表示パネル１の角部近傍に、矩形の液晶表示領域６に対角線方向から斜めに入光するように、従来技術と同様にＬＥＤ５から液晶表示領域６までの最短距離Ａを確保しつつ設置されているため、装置全体幅Ｂを最小限に抑えることが出来る。【選択図】　図３
2004047294.tif 000002
【特許請求の範囲】
【請求項１】
１つ又は２つ以上の点状の光源と、矩形の表示パネルの裏側に設けられて前記光源の入光部を持ち前記光源からの光を表示パネルの裏面へ導く導光板と、を備えたバックライト装置において、
前記光源は、矩形の表示パネルの角部近傍に、表示パネルの角部から所定の距離を隔てて配置されたことを特徴とするバックライト装置。
【請求項２】
表示パネルの一辺部外側に表示駆動用ＩＣを備え、
装置外縁を前記表示駆動用ＩＣの配置された一辺側を表示パネルよりも大きくした矩形に構成し、
前記光源は、装置外縁を矩形にしたことによる表示パネル一辺部外の前記表示駆動用ＩＣ側のスペースに配置されたことを特徴とする請求項１に記載のバックライト装置。
【請求項３】
表示駆動用ＩＣを備えた光透過型の液晶表示パネルのバックライト装置であって、
１又は２つ以上の点状の光源と、液晶表示パネルの裏側に設けられて前記光源の入光部を持ち前記光源からの光を液晶表示パネルの裏面へ導く導光板と、を備え、
前記光源は、前記表示駆動用ＩＣ側の液晶表示パネルの角部近傍に、矩形の液晶表示領域に対角線方向から斜めに入光するように配置されたことを特徴とするバックライト装置。
【請求項４】
請求項１、２又は３のバックライト装置を備えたことを特徴とする表示装置。
【発明の詳細な説明】
【０００１】
【発明の属する技術分野】
本発明は、液晶表示パネルを背面から照明するバックライト装置及びその表示装置に係るものであり、特に液晶表示パネルと導光板と点状の光源（たとえばＬＥＤ）を用いた表示装置のバックライト装置に関するものである。
【０００２】
【従来の技術】
図４は従来の表示装置のバックライト装置を説明する図である。液晶表示パネル１１は矩形である。液晶表示パネル１１の図示下辺部外側に表示駆動用ＩＣ１２が設けられている。ケース１３は表示装置全体を支持する。
【０００３】
図５は図４の液晶表示パネル１１の裏側に配置された部品を説明するため、図４の液晶表示パネル１１を取り外した状態を示す図である。点光源であるＬＥＤ１５が液晶表示パネル１１の図示左辺部に隣接して設けられている。導光板１４はＬＥＤ１５の光を導くためのものである。
【０００４】
図６は液晶表示パネル１１の液晶表示領域１６とＬＥＤ１５との距離関係を説明する図である。液晶表示領域１６は液晶表示パネル１１内の一回り小さい領域である。ＡはＬＥＤ１５から液晶表示領域１６までの最短距離を示す。Ｂ’はケース１３のＬＥＤ１５を配置した側の図示左右の装置全体幅を示す。
【０００５】
上記構成の表示装置のバックライト装置について説明する。
【０００６】
発光したＬＥＤ１５から放たれた光は、導光板１４の受光面から導光板１４内に入り、導光板１４に導かれて拡散する。拡散した光は、液晶表示パネル１１と逆側に抜けた場合、ケース１３で反射し、導光板１４および液晶表示パネル１１を通過する。また、拡散した光が液晶表示パネル１１側に抜けた場合、直接液晶表示パネル１１を通過する。
【０００７】
【発明が解決しようとする課題】
ＬＥＤ１５は、液晶表示領域１６に近づけるほど液晶表示パネル１１のバックライトとしては明るく作用する。しかしながら、液晶表示パネル１１に近づけすぎると、光源であるＬＥＤ１５の近傍が明るくなりすぎ、輝度ムラが発生してしまう。
【０００８】
そのため、輝度ムラを許容できる範囲に抑える距離Ａを確保しながらＬＥＤ１５を液晶表示パネル１１の横に設置しているが、距離Ａを確保する必要上全体幅Ｂ’の小型化が困難であった。
【０００９】
本発明は上記問題点に鑑みてなされたものであり、その目的とするところは、輝度ムラを抑えつつ装置を小型化するバックライト装置及び表示装置を提供することにある。
【００１０】
【課題を解決するための手段】
上記目的を達成するために本発明にあっては、
上記問題を解決するため、本発明のバックライト装置は、
１つ又は２つ以上の点状の光源と、矩形の表示パネルの裏側に設けられて前記光源の入光部を持ち前記光源からの光を表示パネルの裏面へ導く導光板と、を備えたバックライト装置において、
前記光源は、矩形の表示パネルの角部近傍に、表示パネルの角部から所定の距離を隔てて配置されたことを特徴とする。
【００１１】
表示パネルの一辺部外側に表示駆動用ＩＣを備え、
装置外縁を前記表示駆動用ＩＣの配置された一辺側を表示パネルよりも大きくした矩形に構成し、
前記光源は、装置外縁を矩形にしたことによる表示パネル一辺部外の前記表示駆動用ＩＣ側のスペースに配置されたことが好適である。
【００１２】
表示駆動用ＩＣを備えた光透過型の液晶表示パネルのバックライト装置であって、
１又は２つ以上の点状の光源と、液晶表示パネルの裏側に設けられて前記光源の入光部を持ち前記光源からの光を液晶表示パネルの裏面へ導く導光板と、を備え、
前記光源は、前記表示駆動用ＩＣ側の液晶表示パネルの角部近傍に、矩形の液晶表示領域に対角線方向から斜めに入光するように配置されたことを特徴とする。
【００１３】
本発明の表示装置にあっては、
上記のバックライト装置を備えたことを特徴とする。
【００１４】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１５】
図１〜図３を参照して、実施の形態について説明する。
【００１６】
図１は本実施の形態の表示装置のバックライト装置を説明する図である。液晶表示パネル１は矩形をしている。表示駆動用ＩＣ２は液晶表示パネル１の図示下辺部外側に設けられている。ケース３は表示装置全体を支持するものであり、液晶表示パネル１の図示下辺部側だけにスペースを有して液晶表示パネル１よりも大きくなっている。
【００１７】
図２は図１の液晶表示パネル１の裏側に配置された部品を説明するため、図１の液晶表示パネル１を取り外した状態を示す図である。点光源であるＬＥＤ５が液晶表示パネル１の表示駆動用ＩＣ２と同様な図示下辺部外側で、液晶表示パネル１の角部近傍に設けられている。導光板４はＬＥＤ５の光を導くためのものである。
【００１８】
図３は液晶表示パネル１の液晶表示領域６とＬＥＤ５との距離関係を説明する図である。液晶表示領域６は液晶表示パネル１内の一回り小さい領域である。ＡはＬＥＤ５から液晶表示領域６までの最短距離を示す。Ｂはケース３の図示左右の装置全体幅を示す。
【００１９】
上記構成の表示装置のバックライト装置について説明する。
【００２０】
発光したＬＥＤ５から放たれた光は、導光板４の受光面から導光板４内に入り、導光板４に導かれて拡散する。拡散した光は、液晶表示パネル１と逆側に抜けた場合、ケース３で反射し、導光板４および液晶表示パネル１を通過する。また、拡散した光が液晶表示パネル１側に抜けた場合、直接液晶表示パネル１を通過する。
【００２１】
ここで、ＬＥＤ５は表示駆動用ＩＣ２側の液晶表示パネル１の角部近傍に、矩形の液晶表示領域６に対角線方向から斜めに入光するように、従来技術と同様にＬＥＤ５から液晶表示領域６までの最短距離Ａを確保しつつ設置されているため、装置全体幅Ｂを最小限に抑えることが出来る。
【００２２】
すなわち、ケース３を表示駆動用ＩＣ２の配置された図示下辺側を液晶表示パネル１よりも大きくした矩形に構成しており、この表示駆動用ＩＣ２の配置されたスペースにおける液晶表示パネル１の角部近傍のスペース端部にＬＥＤ５を従来技術と同様にＬＥＤ５から液晶表示領域６までの間に最短距離Ａを隔てて配置しているため、ケース３の図示左右が液晶表示パネル１を囲んだだけであることから、装置全体幅Ｂを最小限に抑えることが出来る。
【００２３】
従って、ＬＥＤ５から液晶表示パネル１の液晶表示領域６までの距離を表示装置の投影面積内で最大限に稼ぐことができ、輝度ムラを抑えることが可能となる。
【００２４】
なお、本実施の形態では、光源であるＬＥＤ５は図示左下の１箇所のみに配置されているが、例えば、図示右下に設けたり、図示左右の下に２個配置したりしても同様の効果が得られることは明白である。
【００２５】
【発明の効果】
以上説明したように、本発明は、輝度ムラを抑えつつ装置を小型化するバックライト装置及び表示装置を提供することが可能となる。
【図面の簡単な説明】
【図１】実施の形態の表示装置のバックライト装置を説明する図である。
【図２】図１の液晶表示パネルの裏側に配置された部品を説明するため、図１の液晶表示パネルを取り外した状態を示す図である。
【図３】液晶表示パネルの液晶表示領域とＬＥＤとの距離関係を説明する図である。
【図４】従来技術の表示装置のバックライト装置を説明する図である。
【図５】図４の液晶表示パネルの裏側に配置された部品を説明するため、図４の液晶表示パネルを取り外した状態を示す図である。
【図６】液晶表示パネルの液晶表示領域とＬＥＤとの距離関係を説明する図である。
【符号の説明】
１　液晶表示パネル
２　表示駆動用ＩＣ
３　ケース
４　導光板
５　ＬＥＤ
６　液晶表示領域
【図１】
2004047294.tif 000003
【図２】
2004047294.tif 000004
【図３】
2004047294.tif 000005
【図４】
2004047294.tif 000006
【図５】
2004047294.tif 000007
【図６】
2004047294.tif 000008